(57)【要約】【課題】設備コストや運転コストの上昇を抑えつつ、第三者による洗濯物の取り出し等を防止できるコインランドリーを提供する。【解決手段】コインランドリー１は、洗濯物を出し入れする投入口に配置される開閉扉７と、開閉扉７を施解錠する扉ロック８と、料金を受け付ける料金受付部１３と、開閉扉７の施錠の指示を利用者から受け付ける施錠指示受付部１１と、を備え、扉ロック８は、料金受付部１３に解錠料金が投入されるまで開閉扉７を施錠し続ける。【選択図】図４
2019208891.tif 000002
【特許請求の範囲】
【請求項１】
洗濯物を出し入れする投入口に配置される開閉扉と、
前記開閉扉を施解錠する扉ロックと、
料金を受け付ける料金受付部と、
前記開閉扉の施錠の指示を利用者から受け付ける施錠指示受付部と、
を備え、
前記扉ロックは、前記料金受付部に解錠料金が投入されるまで前記開閉扉を施錠し続けるコインランドリー。
【請求項２】
前記施錠指示受付部は、操作入力部である請求項１に記載のコインランドリー。
【請求項３】
前記施錠指示受付部は、通信入力部である請求項１に記載のコインランドリー。
【請求項４】
前記施錠指示受付部は、洗濯物処理運転の完了直前まで施錠指示を受け付ける請求項１から３のうちいずれか一項に記載のコインランドリー。
【請求項５】
前記開閉扉を解錠させる解錠情報を利用者から受け付ける解錠情報受付部を備え、
前記扉ロックは、前記料金受付部に解錠料金が投入されない場合であっても、前記解錠情報受付部が解錠情報を受け取ると前記開閉扉を強制解錠する、請求項１から４のうちいずれか一項に記載のコインランドリー。
【請求項６】
前記解錠情報受付部は、会員情報入力部であり、
前記解錠情報は、会員情報である請求項５に記載のコインランドリー。
【請求項７】
洗濯物処理運転が完了した後に所定時間を経過しても前記料金受付部に解錠料金が投入されないときに、超過料金を設定する超過料金設定部を備え、
前記扉ロックは、前記料金受付部から超過料金完済情報を受け取るまで前記開閉扉を施錠し続ける、請求項１から６のうちいずれか一項に記載のコインランドリー。
【請求項８】
前記超過料金設定部は、前記所定時間を経過した後の超過時間に応じた加重超過料金を前記超過料金に加算する、請求項７に記載のコインランドリー。
【発明の詳細な説明】
【技術分野】
【０００１】
本発明の実施形態は、利用料金の支払に応じて、衣類やシーツ等の洗濯物に対して洗濯や乾燥等の処理を行うコインランドリーに関する。
【背景技術】
【０００２】
洗濯乾燥機等のコインランドリーは、複数の工程を経て洗濯物に対する処理を行う。洗濯処理においては、洗濯工程、すすぎ工程、脱水工程等を経て洗濯物を処理する。乾燥処理においては、乾燥工程、冷却工程等を経て洗濯物を処理する。
洗濯乾燥機においては、洗濯工程、すすぎ工程、脱水工程、乾燥工程、冷却工程を連続実行して、洗濯物に対して洗濯処理と乾燥処理を行う。
【先行技術文献】
【特許文献】
【０００３】
【特許文献１】特開２００５−３４１９８１号公報
【発明の概要】
【発明が解決しようとする課題】
【０００４】
洗濯処理や乾燥処理には、数十分から１時間程度を要する。このため、ユーザーがコインランドリーから離れて、洗濯等が終了しても洗濯物が洗濯乾燥機等の内部に放置されることがある。このとき、第三者により洗濯物が洗濯乾燥機等から勝手に取り出されと、ユーザーが不快に思い、また盗難のおそれ等もあった。
そこで、開閉扉をロックして第三者が洗濯物に触れないようにした機能を備える洗濯乾燥機等もある。
しかしながら、ＩＣカードや専用サーバーが必要となったり、インターネットに接続したりするため、設備コスト、運転コストがかさんでしまう。特に、小規模のコインランドリーの経営者にとっては、導入しづらいという問題がある。
【０００５】
本発明は、上記した事情に鑑み提案されたものであり、設備コストや運転コストの上昇を抑えつつ、第三者による洗濯物の取り出し等を防止できるコインランドリーを提供することを目的とする。
【課題を解決するための手段】
【０００６】
実施形態のコインランドリーは、洗濯物を出し入れする投入口に配置される開閉扉と、前記開閉扉を施解錠する扉ロックと、料金を受け付ける料金受付部と、前記開閉扉の施錠の指示を利用者から受け付ける施錠指示受付部と、を備え、前記扉ロックは、前記料金受付部に解錠料金が投入されるまで前記開閉扉を施錠し続けることを特徴とする。
【０００７】
また、実施形態のコインランドリーは、前記施錠指示受付部は、操作入力部であることを特徴とする。
【０００８】
また、実施形態のコインランドリーは、前記施錠指示受付部は、通信入力部であることを特徴とする。
【０００９】
また、実施形態のコインランドリーは、前記施錠指示受付部は、洗濯物処理運転の完了直前まで施錠指示を受け付けることを特徴とする。
【００１０】
また、実施形態のコインランドリーは、前記開閉扉を解錠させる解錠情報を利用者から受け付ける解錠情報受付部を備え、前記扉ロックは、前記料金受付部に解錠料金が投入されない場合であっても、前記解錠情報受付部が解錠情報を受け取ると前記開閉扉を強制解錠することを特徴とする。
【００１１】
また、実施形態のコインランドリーは、前記解錠情報受付部は、会員情報入力部であり、
前記解錠情報は、会員情報であることを特徴とする。
【００１２】
また、実施形態のコインランドリーは、洗濯物処理運転が完了した後に所定時間を経過しても前記料金受付部に解錠料金が投入されないときに、超過料金を設定する超過料金設定部を備え、前記扉ロックは、前記料金受付部から超過料金完済情報を受け取るまで前記開閉扉を施錠し続けることを特徴とする。
【００１３】
また、実施形態のコインランドリーは、前記超過料金設定部は、前記所定時間を経過した後の超過時間に応じた加重超過料金を前記超過料金に加算することを特徴とする。
【図面の簡単な説明】
【００１４】
【図１】実施形態のコインランドリーを示す正面図である。
【図２】コインランドリーの概略構成を示す模式図である。
【図３】コインランドリーの制御系統を示すブロック図である。
【図４】洗濯物処理運転を示すフローチャート図である。
【図５】洗濯物処理運転の変形例を示すフローチャート図である。
【発明を実施するための形態】
【００１５】
以下、実施形態のコインランドリー１を、図面を参照して説明する。各図において、同一構成については同一の符号を付す。
【００１６】
〔コインランドリー１〕
図１は、実施形態のコインランドリー１を示す正面図である。
図２は、コインランドリー１の概略構成を示す模式図である。
図３は、コインランドリー１の制御系統を示すブロック図である。
【００１７】
コインランドリー１は、利用料金の支払いを要する洗濯乾燥機等である。
コインランドリー１は、直方体形の筐体２と、この筐体２の内部に配置された外胴３およびドラム４を備える。
外胴３は、横向きの有底円筒体であり、筐体２の内部に配置される。ドラム４も横向きの有底円筒体であり、外胴３の内部に配置される。
【００１８】
筐体２は、フロントパネル２ａのほぼ中央に、円形状のパネル開口２ｂを有する。外胴３は、衣類やシーツなどの洗濯物を出し入れする投入口６を有し、この投入口６がパネル開口２ｂに露出するように固定される。
フロントパネル２ａには、投入口６を開閉する開閉扉７が配置される。開閉扉７は、投入口６閉塞できる円板形を有し、中央部分には窓が設けられる。開閉扉７と投入口６の縁部との間には、気密性を高めるためのシール材（不図示）が配置される。
【００１９】
投入口６の縁部には、ハンドル式の扉ロック８が設けられる。利用者は、ハンドルを用いて開閉扉７を開閉したり、開閉扉７をラッチ（空締まり）したり、ラッチを外したりできる。
また、扉ロック８は、後述する制御部３０により開閉扉７の施解錠（施錠と解錠）が制御される。すなわち、制御部３０は、開閉扉７を閉じてラッチした状態でハンドルを固定することができる。つまり、制御部３０は、扉ロック８により開閉扉７を施錠して投入口６を密閉した状態を維持できる。
一方、制御部３０が開閉扉７を解錠すると、手動でハンドルを引いてラッチを外すことが可能になり、さらに開閉扉７を開いて投入口６を開放できる。
扉ロック８には、開閉扉７を閉じてラッチした状態を検出する開閉センサー４１も設けられる。開閉センサー４１は、検出データーを制御部３０に出力する。
【００２０】
外胴３は、給水管１５や排水管１６が接続される。外胴３は、給水管１５から供給された水を貯留したり、貯留された水を排水管１６を介してコインランドリー１の外部に排出したりする。
外胴３には、水位を検出する水位センサー４２が設けられる。水位センサー４２は、検出データーを制御部３０に出力する。
【００２１】
外胴３には、乾燥用の温風を供給する温風供給路２０と温風排出路２１が接続される。
温風供給路２０には、加熱ユニット２２や過熱防止装置、安全装置等が配置される。加熱ユニット２２は、ガスバーナーである。
温風排出路２１には、フィルタ、ファン２３、過熱防止装置、チャッキダンバー等が配置される。
ファン２３を回転させると、温風供給路２０に導入した空気が加熱ユニット２２により加熱されて、外胴３に温風が供給される。これにより、ドラム４に投入された洗濯物が乾燥する。そして、湿気を含んだ空気が外胴３から温風排出路２１に導入されて、外部に排出される。
【００２２】
温風排出路２１の下流には、温度センサー１８が配置される。温度センサー１８は、外胴３から温風排出路２１に導入された空気の温度を測定する。そして、温度センサー１８は、測定データーを制御部３０に出力する。
【００２３】
ドラム４は、外胴３に対して隙間を隔てつつ、その開口が外胴３の投入口６に一致するように配置される。ドラム４は、後方に向けて延びる回転軸（不図示）を有し、この回転軸が外胴３により回転可能に支持される。
回転軸の後端には、モータ２８等を備える回転駆動部が接続される。回転駆動部は、モータ２８の回転をプーリとベルトを介して回転軸に伝達して、ドラム４を回転駆動する。
【００２４】
フロントパネル２ａの上部には、操作入力部１０が配置される。操作入力部１０は、制御部３０に接続されており、利用者が洗濯物処理運転に対する操作を行う。
操作入力部１０に隣接して、表示部が配置される。表示部は、洗濯物処理運転に関する情報等を表示する。表示部には、洗濯物処理運転に関する情報として、例えばコインランドリー１の利用時間、利用料金（超過料金、加重超過料金を含む）が表示される。
【００２５】
操作入力部１０には、プライバシー設定ボタン（施錠指示受付部）１１が含まれる。利用者は、洗濯物処理運転の開始前から完了までの間に、プライバシー設定ボタン１１を押下できる。プライバシー設定ボタン１１の押下は任意である。
利用者がプライバシー設定ボタン１１を押下したときは、洗濯物処理運転の完了後に扉ロック８が解錠され続ける。扉ロック８を解錠するためには、特別な料金（解錠料金）の支払いが必要になる。この解錠料金は、プライバシー設定料金と呼ばれ、例えば１００円程度である。
つまり、プライバシー設定料金が完済されるまで、扉ロック８が施錠され続ける。このため、第三者がコインランドリー１から洗濯物を勝手に取り出すことを防止できる。
【００２６】
操作入力部１０は、プライバシー設定ボタン１１の押下の有無を制御部３０に出力する。利用者は、洗濯物処理運転の完了後に、後述する料金受付部１３にプライバシー設定料金を投入して、扉ロック８を解錠させる。
【００２７】
操作入力部１０の下側には、会員カード読取部（会員情報入力部、解錠情報受付部）１２が配置される。会員カード読取部１２は、利用者に配布された会員カードから会員番号等を読み取る。会員カード読取部１２は、会員カードから読み取った会員番号等の情報を制御部３０に出力する。
会員カードは、コインランドリー１の利用者のうち、例えば利用頻度が高い利用者に配布される。会員カードには、会員番号や利用履歴等が記録される。利用者は、会員カードを会員カード読取部１２に挿入して読み取らせることにより、特典を受けることができる。特典は、利用料金の割引やプライバシー設定料金の免除等である。
会員カードに限らず、クーポン券であってもよい。
【００２８】
操作入力部１０の右側には、料金受付部１３が配置される。料金受付部１３は、コインランドリー１の利用料金を受け付ける。料金受付部１３は、利用料金として、金銭の他、クレジットカードや各種ポイント等による支払いも受け付けることができる。
利用者が料金受付部１３に金銭等を投入すると、料金受付部１３は、投入された金銭等を計算して、利用料金を満たしている場合は、料金完済情報を制御部３０に出力する。
【００２９】
後述するように、超過料金（加重超過料金を含む）が発生する場合がある。この場合は、料金受付部１３は、投入された金銭等が超過料金（加重超過料金を含む）を満たすと、超過料金完済情報を制御部３０に出力する。
なお、料金受付部１３と制御部３０が協働して、料金完済および超過料金完済を判断してもよい。
【００３０】
また、利用者がプライバシー設定ボタン１１を押下した場合には、プライバシー設定料金が発生する。この場合は、料金受付部１３は、投入された金銭がプライバシー設定料金を満たすと、プライバシー設定料金完済情報を制御部３０に出力する。
なお、料金受付部１３と制御部３０が協働して、プライバシー設定料金完済を判断してもよい。
【００３１】
筐体２の内部には、コインランドリー１を統括的に制御する制御部３０が配置される。
制御部（超過料金設定部）３０は、例えばＣＰＵ，ＲＯＭ，ＲＡＭ等からなるマイクロコンピュータにより構成される。
制御部３０は、ドラム４に投入された洗濯物に対する洗濯物処理運転（洗濯処理、乾燥処理）を、予め設定された複数の運転工程を経て行う制御を実行する。
【００３２】
〔洗濯物処理運転〕
次に、コインランドリー１の洗濯物処理運転について説明する。特に、扉ロック８を解錠する方法について説明する。
図３は、コインランドリー１の制御系統を示すブロック図である。
図４は、洗濯物処理運転を示すフローチャート図である。
【００３３】
まず、利用者は、コインランドリー１の開閉扉７を開いて、投入口６から洗濯物をドラム４に投入する。そして、利用者は、開閉扉７を閉じて、扉ロック８により開閉扉７をラッチする。
【００３４】
さらに、利用者は、操作入力部１０を操作して、洗濯コース（洗濯物処理）等を選択する（Ｓｔｅｐ１）。
また、利用者は、操作入力部１０を操作して、プライバシー保護を依頼（洗濯）する。具体的には、プライバシー設定ボタン１１を押下する（Ｓｔｅｐ２）。
プライバシー設定ボタン１１が押下されると、制御部３０は、プライバシー設定ボタン１１が押下された情報を受け取って、開閉扉７の施錠予約を記憶する。
【００３５】
次いで、利用者は、利用料金を料金受付部１３に投入する（Ｓｔｅｐ３）。
利用料金は、例えば、洗濯物が１０ｋｇ、洗濯処理が２０分、乾燥処理が４０分の場合は、１６００円である。
【００３６】
次いで、利用者は、操作入力部１０の運転開始ボタンを押下する。
操作入力部１０の運転開始ボタンが押下されると、制御部３０は、開閉扉７の開閉センサー４１からの入力信号に基づいて開閉扉７のラッチを確認する。さらに、制御部３０は、開閉扉７の施錠予約に基づいて、扉ロック８により開閉扉７を施錠する（Ｓｔｅｐ４）。
【００３７】
次いで、制御部３０は、外胴３の水位センサー４２や温度センサー１８からの入力信号を受信しつつ、給水管１５や排水管１６の制御弁、モータ２８、ファン２３、加熱ユニット２２等を制御して、洗濯物処理運転（洗濯処理、乾燥処理）を行う（Ｓｔｅｐ５）。
【００３８】
洗濯処理の洗浄工程では、制御部３０は、給水管１５から外胴３に所定量の水を供給し、回転駆動部２５のモータ２８によりドラム４を正逆回転、強弱回転等させる。
【００３９】
洗浄工程が終了すると、制御部３０は、濯ぎ工程を開始する。濯ぎ工程では、排水管１６の制御弁を開放して外胴３に貯留された水を排水管１６から排出した後、再び給水管１５から外胴３に所定量の水を供給してドラム４を回転させる。
濯ぎが終了すると、制御部３０は、排水管１６の制御弁を開放して外胴３に貯留された水を排水管１６から全て排出する。
【００４０】
濯ぎ工程が終了すると、制御部３０は、脱水工程を開始する。脱水工程では、排水管１６の制御弁を開放した状態で、回転駆動部２５によりドラム４を一方向に回転させて、その遠心力により洗濯物の脱水を行う。
【００４１】
次に、制御部３０は、洗濯処理から乾燥処理に移行する。
まず、乾燥工程では、制御部３０は、回転駆動部２５によりドラム４を一方向に回転させながら、ファン２３、加熱ユニット２２を駆動させる。
すなわち、制御部３０は、ファン２３を駆動して、加熱ユニット２２により昇温した空気（温風）を温風供給路２０を介して外胴３に供給する。この温風にドラム４の洗濯物（脱水された洗濯物）を晒して乾燥させる。そして、制御部３０は、ファン２３を駆動して、洗濯物から蒸発した水分を含んだ温風を温風排出路２１を介して外部に排出させる。
【００４２】
制御部３０は、乾燥工程において、温度センサー１８からの入力信号に基づいて洗濯物の乾燥状態を判定する（Ｓｔｅｐ６）。例えば、温度センサー１８の測定値（温度）が６０℃以上になると、洗濯物が乾燥したと判定する。
【００４３】
制御部３０は、洗濯物が乾燥したと判定したら、冷却工程を行う。冷却工程では、加熱ユニット２２を停止させて、回転駆動部によりドラム４を一方向に回転させながら、ファン２３のみを駆動させる。そして、利用者が火傷をしない程度の温度まで洗濯物を冷して、洗濯物処理運転を完了させる。
このように、制御部３０は、温度センサー１８からの入力信号に基づいて洗濯物処理運転の完了を判断する。
【００４４】
次いで、制御部３０は、洗濯物処理運転の完了後から計時を開始する。そして、制御部３０は、この計時により洗濯物処理運転完了後からの経過時間を判断する（Ｓｔｅｐ７）。
この計時は、洗濯物が放置された時間に応じた超過料金（加重超過料金を含む）を算出するために行われる。制御部３０は、例えば１分単位で計時を行う。
【００４５】
また、洗濯物処理運転が完了すると、制御部３０は、プライバシー設定料金（１００円）を表示部に表示して、利用者にプライバシー設定料金の支払いを促す。
【００４６】
次いで、制御部３０は、Ｓｔｅｐ７で計時した経過時間に応じて、超過料金の有無、加算を行う（Ｓｔｅｐ８〜１０）
【００４７】
Ｓｔｅｐ７において洗濯物処理運転完了後からの経過時間が所定時間未満と判断されたときは、超過料金は発生させない（Ｓｔｅｐ８）。
所定時間は、例えば１０分である。洗濯物処理運転が完了した直後から超過料金を加算すると、利用者に過度な負担を与えてしまうため、１０分程度の猶予（所定時間）が設定される。
【００４８】
次いで、制御部３０は、利用者が料金受付部１３に金銭等を投入してプライバシー設定料金を完済したか否かを判断する。すなわち、制御部３０は、料金受付部１３からプライバシー設定料金完済情報が入力されたか否かを判断する（Ｓｔｅｐ１２）。
【００４９】
制御部３０は、プライバシー設定料金が完済されたと判断すると、扉ロック８を解錠する（Ｓｔｅｐ１３）。これにより、利用者は、開閉扉７を開いて投入口６を開放し、洗濯物をドラム４から取り出すことができる（Ｓｔｅｐ１４）。
【００５０】
一方、制御部３０は、操作入力部１０からプライバシー設定料金完済情報を受け取れない場合は、再びステップ７に戻る。すなわち、プライバシー設定料金が支払われない場合、または、料金受付部１３に投入された金銭等がプライバシー設定料金に満たない場合は、ステップ７に戻る。
【００５１】
Ｓｔｅｐ７において、洗濯物処理運転完了後からの経過時間が所定時間（例えば１０分）と判断されたときは、超過料金を加算する（Ｓｔｅｐ９）。
経過時間が１０分になると、超過料金として例えば１００円を設定する。
制御部３０は、超過料金（１００円）とプライバシー設定料金（１００円）の合計金額を表示部に表示して、利用者に超過料金の支払いを促す。
次いで、後述するように、ステップ１１に移り、超過料金完済情報の入力の有無を判断する。
【００５２】
Ｓｔｅｐ７において、洗濯物処理運転完了後からの経過時間が所定時間（例えば１０分）を超えたと判断されたときは、加重超過料金を加算する（Ｓｔｅｐ１０）。
経過時間が１１分以上になると、加重超過料金として、例えば１分毎に１０円を加算する。加重超過料金は、所定時間を経過した後の時間（超過時間）に応じた料金である。
このＳｔｅｐ１０がＳｔｅｐ９を経た後に行われる処理であるため、利用料金は、１００円に、加重超過料金の１０円を加算した１１０円に設定される。
制御部３０は、超過料金（１１０円）とプライバシー設定料金（１００円）の合計金額を表示部に表示して、利用者に料金支払いを促す。
次いで、後述するように、ステップ１１に移り、超過料金完済情報の入力の有無を判断する。
【００５３】
Ｓｔｅｐ９，１０を経た後に、制御部３０は、利用者が料金受付部１３に金銭等を投入して超過料金を完済したか否かを判断する。すなわち、制御部３０は、料金受付部１３から超過料金完済情報が入力されたか否かを判断する（Ｓｔｅｐ１１）。
【００５４】
ステップ１１において、超過料金が完済されたと判断したときは、ステップ１２に移る。つまり、制御部３０は、利用者が料金受付部１３に金銭等を投入してプライバシー設定料金を完済したか否かを判断する。
一方、ステップ１１において、超過料金が完済されていないと判断したときは、ステップ７に戻る。
【００５５】
Ｓｔｅｐ１２において、プライバシー設定料金が完済されたと判断すると、制御部３０は、扉ロック８を解錠する（Ｓｔｅｐ１３）。これにより、利用者は、開閉扉７を開いて投入口６を開放し、洗濯物をドラム４から取り出すことができる（Ｓｔｅｐ１４）。
一方、Ｓｔｅｐ１２において、プライバシー設定料金が完済されていないと判断したときは、再びステップ７に戻る。
【００５６】
このように、コインランドリー１は、洗濯物処理運転の完了後における開閉扉７の施錠指示を利用者から受け付けるプライバシー設定ボタン１１を備える。そして、扉ロック８は、料金受付部１３にプライバシー設定料金（解錠料金）が投入されるまで開閉扉７を施錠し続ける。
このため、コインランドリー１は、設備コストや運転コストの上昇を抑えつつ、第三者による洗濯物の取り出し等を防止できる
【００５７】
プライバシー設定ボタン１１は、操作入力部１０に含まれる。このため、利用者がプライバシー設定（洗濯物処理運転の完了後における開閉扉７の施錠指示）を容易に行うことができる。
【００５８】
プライバシー設定ボタン１１は、洗濯物処理運転の完了直前まで施錠指示を受け付ける。このため、プライバシー設定を利用しやすくなる。
【００５９】
また、制御部３０は、洗濯物処理運転が完了した後に所定時間を経過してもプライバシー設定料金の支払いがないときは、超過料金を設定する。そして、この超過料金を完済するまで扉ロック８により開閉扉７を施錠し続ける。
このため、コインランドリー１に洗濯物が放置されて稼働率が低下したとしても、コインランドリー１に洗濯物が放置された時間に応じた料金収入が得られる。したがって、コインランドリー１の売り上げ向上や経営の安定に貢献できる。
【００６０】
また、制御部３０は、所定時間を経過した後の超過時間に応じた加重超過料金を超過料金に加算するので、利用者に精神的な負担を与えて料金支払いを促すことができる。
【００６１】
図５は、洗濯物処理運転の変形例を示すフローチャート図である。
上述した実施形態では、プライバシー設定料金の支払いが必要な場合について説明したが、これに限らない。
料金受付部１３にプライバシー設定料金（解錠料金）が投入されない場合であっても、会員カード読取部１２が会員情報（解錠情報）を受け取ったときは、開閉扉７を強制解錠するようにしてもよい(ステップ１５)。
【００６２】
すなわち、図５に示すように、ステップ８またはステップ１１からステップ１２に移行する前に、ステップ１５を行う。
ステップ１５では、利用者が会員カード読取部１２に会員カードを挿入して会員情報を読み取らせると、制御部３０は、扉ロック８により開閉扉７を強制解錠する。つまり、コインランドリーの会員に対しては、プライバシー設定料金を免除して、ステップＳ１３に移行する。
一方、コインランドリーの会員でない場合は、ステップ１２に移行する。
【００６３】
ステップ１５では、会員カード読取部１２に会員カードを挿入する場合に限らない。洗濯物処理運転が完了する前に、予め会員カード読取部１２に会員カードを挿入しておく場合であってもよい。この場合には、例えばプライバシー設定ボタン１１等を押下すると、開閉扉７が強制解錠される。
【００６４】
本発明の実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００６５】
施錠指示受付部は、タッチパネル等の物理的な入力手段に限らない。施錠指示受付部は、開閉扉７の施錠指示を受け付けることができればよい。例えば、施錠指示受付部として通信入力部（不図示）を備え、スマートフォン等から通信により施錠指示を受け付ける場合であってもよい。
【００６６】
上記実施形態では、制御部３０が温度センサー１８の測定結果に基づいて洗濯物処理運転の完了を判断する場合について説明したが、これに限らない。例えば、洗濯物が乾燥不十分であっても、設定時間になると洗濯物処理運転を完了するようにしてもよい。
【００６７】
上記実施形態では、洗濯処理と乾燥処理とを実行可能なコインランドリー１を例示して説明したが、本発明はこれに限定されない。例えば、洗濯物に対して洗濯処理のみを実行する洗濯機に本発明を適用してもよいし、あるいは、洗濯物に対して乾燥処理のみを実行する乾燥機に本発明を適用してもよい。
【００６８】
また、上記実施形態では、水を使用して洗濯を行う水洗タイプの機器を例示して説明したが、本発明はこれに限定されない。例えば、石油系溶剤等の溶剤を使用して洗濯を行うドライクリーニングタイプの洗濯機（洗濯乾燥機）に本発明を適用してもよい。
【００６９】
上記実施形態では、利用料金の全額を前払いする場合について説明したが、これに限らない。利用料金を後払いする場合であってもよい。
【００７０】
上記実施形態では、洗濯物処理運転完了後から所定時間（１０分）以内は超過料金が発生しない場合について説明したが、これに限らない。洗濯物処理運転完了の直後から超過料金が発生する場合であってもよい。
【００７１】
上記実施形態では、超過料金が時間に応じて増額される（加重超過料金を加算する）場合について説明したが、これに限らない。超過料金が一定額の場合であってもよい。
また、超過時間に比例して一定額の加重超過料金を加算する場合に限らず、加重超過料金を指数関数的に漸増させる場合であってもよい。
【００７２】
操作入力部１０や料金受付部１３等が筐体２に配置される場合について説明したが、これに限らない。操作入力部や料金受付部等が筐体とは別に配置される場合であってもよい。すなわち、各コインランドリーがそれぞれ料金受付部等を備える分離型に限らず、いわゆる集中精算機方式により複数のコインランドリーの操作や支払を受け付ける場合であってもよい。
【００７３】
プライバシー設定ボタン１１は、洗濯物処理運転の完了後における開閉扉７の施錠指示を受け付ける場合に限らない。プライバシー設定ボタン１１を押下すると、洗濯物処理運転の開始時から開閉扉７を施錠するようにしてもよい。
【符号の説明】
【００７４】
１  コインランドリー  
３  外胴  
４  ドラム  
６  投入口  
７  開閉扉  
８  扉ロック  
１０  操作入力部  
１１  プライバシーボタン（施錠指示受付部）
１２  会員情報入力部（解錠情報受付部）
１３  料金受付部  
１８  温度センサー  
３０  制御部（超過料金設定部）  
【図１】
2019208891.tif 000003
【図２】
2019208891.tif 000004
【図３】
2019208891.tif 000005
【図４】
2019208891.tif 000006
【図５】
2019208891.tif 000007